(57)【要約】【課題】  グループ通信において利用者に付与されるフロアには、現在の課金の条件等利用者の状態や状況に応じた情報が何も含まれておらず、利用者に応じたシステムやサービスのきめ細かい制御・管理を行うことができない。【解決手段】  グループ情報サーバ１は、グループ情報作成端末４で作成したフロア属性情報を含むグループリストを保持する。グループ通信端末３が他のグループ通信端末３とグループ通信を行う時、グループ通信サーバ２はグループ情報作成端末４で作成したグループリストを取得し、その情報に基づいてグループ通信を確立する。それと同時に、グループリスト内のフロア属性情報を機能追加サーバ５に渡し、通信中のフロアをフロア属性情報制御部５１がフロア属性情報に基づいて制御・管理し、フロアに対し属性情報を付加する。また、追加機能情報管理部５３でフロア属性情報に基づくフロア制御によって得られた情報の管理を行う。【選択図】  図１
2007027999.tif 000002
【特許請求の範囲】
【請求項１】
ネットワークを介して複数の端末が映像・画像・音声などの情報を送受信するグループ通信システムであって、グループリストの属性情報に発言権（フロア）を制御・管理するためのフロア属性情報を含むことを特徴とするグループ通信システム。
【請求項２】
前記フロア属性情報にフロア制御の動作定義を含むことを特徴とする請求項１に記載のグループ通信システム。
【請求項３】
グループ通信の制御を行うグループ通信サーバに機能追加用サーバのための共通の接続制御部があることを特徴とする請求項１に記載のグループ通信システム。
【請求項４】
前記機能追加サーバによってフロア属性情報を利用するグループ通信機能の追加を行うことを特徴とする請求項３に記載のグループ通信システム。
【請求項５】
前記機能追加サーバがグループ通信サーバと連携して、フロアと関連付けられたフロア属性情報を元にフロアの制御・管理を行うことを特徴とする請求項３に記載のグループ通信システム。
【請求項６】
フロアにそれを制御・管理するための通信参加者の属性情報を含むことを特徴とする請求項５に記載のグループ通信システム。
【請求項７】
通信状況・状態に応じたフロアの制御・管理を行うため、フロアに通信参加者の属性情報を含むことを特徴とする請求項６に記載のグループ通信システム。
【請求項８】
課金サーバの追加によりフロア属性情報を利用して課金管理を行うことを特徴とする請求項４に記載のグループ通信システム。
【請求項９】
ゲーム運用サーバの追加によりフロア属性情報を利用してゲームの進行・管理を行うことを特徴とする請求項４に記載のグループ通信システム。
【請求項１０】
ネットワークを介して複数の端末が映像・画像・音声などの情報を送受信するグループ通信方法であって、グループリストの属性情報に発言権（フロア）を制御・管理するためのフロア属性情報を含むことを特徴とするグループ通信方法。
【請求項１１】
前記フロア属性情報にフロア制御の動作定義を含むことを特徴とする請求項１０に記載のグループ通信方法。
【請求項１２】
グループ通信の制御を行うグループ通信サーバに機能追加用サーバのための共通の接続制御部があることを特徴とする請求項１０に記載のグループ通信方法。
【請求項１３】
機能追加サーバによってフロア属性情報を利用するグループ通信機能の追加を行うことを特徴とする請求項１２に記載のグループ通信方法。
【請求項１４】
機能追加サーバがグループ通信サーバと連携して、フロアと関連付けられたフロア属性情報を元にフロアの制御・管理を行うことを特徴とする請求項１２に記載のグループ通信方法。
【請求項１５】
フロアにそれを制御・管理するための通信参加者の属性情報を含むことを特徴とする請求項１４に記載のグループ通信方法。
【請求項１６】
通信状況・状態に応じたフロアの制御・管理を行うため、フロアに通信参加者の属性情報を含むことを特徴とする請求項１５に記載のグループ通信方法。
【請求項１７】
課金サーバの追加によりフロア属性情報を利用して課金管理を行うことを特徴とする請求項１６に記載のグループ通信方法。
【請求項１８】
ゲーム運用サーバの追加によりフロア属性情報を利用してゲームの進行・管理を行うことを特徴とする請求項１７に記載のグループ通信方法。
【発明の詳細な説明】
【技術分野】
【０００１】
本発明はグループ通信システムに関し、詳しくは、グループ通信におけるフロアの属性情報に応じた通信のきめ細かい制御・管理方法およびそのシステムに関し、特にグループ登録ユーザの属性やグループ通信の状況・状態に基づくフロアの属性に関する。
【背景技術】
【０００２】
近年、インターネットや電話回線を利用した、多人数・多地点でテレビ電話や音声通話などの双方向通信を行い、会議や講演等のサービスを提供する通信システムが実現されている。
【０００３】
しかし、多人数・多地点でテレビ会議等を行う場合、映像・音声といったデータ量の多い通信を行うことになる。そのため、テレビ会議サービスの利用に非常に大きな通信帯域を必要としたり、サーバで中継する際に映像・音声を配信用に合成するという非常に負荷の大きい処理を行わなければならない、といった問題が発生する。
【０００４】
そこで、この問題を解決する方法として多地点通信（グループ通信）に発言権（フロア）という概念を導入し、フロアを取得している人のみが発言できる通信システムが提案されている（たとえば、特許文献１、特許文献２、非特許文献１参照）。このフロアにより、映像・音声の送信者を一部の人に限定し、上記の問題の解決を図っている。
【０００５】
グループ通信の利用者は、誰がフロアを取得しても「発言」という同じ権利を有している反面、フロアの取得によって生じる課金や発言可能時間等の義務／権利も同じ条件で課されることになる。
【０００６】
【特許文献１】特開２００４−２４８１４５号公報
【特許文献２】特開２００３−３３３２１６号公報
【非特許文献１】ｍｏｔｏｒｏｌａ、”Ｐｕｓｈ−Ｔｏ−Ｔａｌｋ  ｏｖｅｒ  ＣｅｌｌｕｌａｒＣｏｎｓｏｒｔｉｕｍ  Ｐｈａｓｅ２  Ｓｐｅｃｉｆｉｃａｔｉｏｎｓ  ａｎｄ  Ｄｏｃｍｅｎｔａｔｉｏｎ”、［平成１７年７月６日］、インターネット＜ＵＲＬ：ｈｔｔｐ：／／ｗｗｗ．ｍｏｔｏｒｏｌａ．ｃｏｍ／ｃｏｎｔｅｎｔ／０，，２６４７−４３９８，００．ｈｔｍｌ  ＞
【発明の開示】
【発明が解決しようとする課題】
【０００７】
従来の第１の問題点は、グループ通信の利用者に付与されるフロアに基づいて、利用者に応じたシステムやサービスの制御・管理することができないことである。これは、特許文献１、特許文献２、非特許文献１に代表される従来のグループ通信におけるフロアでは、すべてのフロア取得者において同じ権利・義務を持つものであることによる。
【０００８】
従来の第２の問題点は、フロアを頻繁に利用者間でやり取りする上で、その時の通信状況や状態に応じた、フロアの詳細な動作や制御を行うことができないことである。これは、特許文献１、特許文献２、非特許文献１に代表される従来のグループ通信におけるフロアでは、フロアにグループ通信や発言者の状態や状況に関した情報が含まれることがないことによる。
【０００９】
そこで、本発明の目的は上記の問題点を解消し、利用者に付与されるフロアと属性情報の関連付け、およびフロアに属性情報を付加することにより、グループ通信を含むシステムやサービスの細かい制御・管理を行うことにある。
【課題を解決するための手段】
【００１０】
本発明のグループ通信システムは、フロア属性情報作成部（図１の参照番号４４）をグループ情報作成端末（図１の参照番号４）に有する。
【００１１】
さらに、機能追加サーバ（図１の参照番号５）と連携して動作できるフロア制御部（図１の参照番号２４）と、グループ通信サーバ（図１の参照番号２）に機能を追加するためのサーバ（機能追加サーバ（図１の参照番号５））との間で入出力を行う機能追加サーバ接続制御部（図１の参照番号２６）をグループ通信サーバ（図１の参照番号２）に有する。
【００１２】
さらに、グループ通信サーバ（図１の参照番号２）に接続して入出力行うグループ通信サーバ接続部（図１の参照番号５４）と、フロア属性情報に基づいてフロアの制御を行うフロア属性情報制御部（図１の参照番号５１）と、フロア属性情報を解析するためのフロア属性情報解析部（図１の参照番号５２）と、フロア属性情報とそれに基づくフロア制御に応じた追加機能に関する情報の管理を行う追加機能情報管理部（図１の参照番号５３）を有する。
【００１３】
また、本発明のグループ通信システムにおけるグループリストは、フロアに付加する属性情報や通信中の状況に応じた動作を記述したフロア属性情報を持つ。
【００１４】
このような構成を採用し、グループ通信参加者に対して渡されるフロアと属性情報の関連付け、およびフロアに応じた属性情報を付加して、その属性情報に基づいてフロアの制御および課金の管理をすることにより、本発明の第１および第２の目的を達成することができる。
【発明の効果】
【００１５】
本発明による第１の効果は、グループリストにフロア属性情報を記述しておくことで、フロアに属性情報をもたせることができることにある。この結果、フロアごとに意味づけを行うことが可能となり、詳細な管理が可能になる。これは、利用者が入力したフロア属性情報を、フロア属性情報作成部によってフロア属性情報解析部が解析できる形式で出力し、フロア属性情報制御部でフロアと解析した属性情報の関連付けを行い、フロアの詳細な制御と管理を行うためである。
【００１６】
本発明による第２の効果は、グループ通信におけるフロア取得者の属性情報に基づいて、フロアそのものに属性情報を付加できることにある。この結果、フロアに付加された属性情報により、端末・サーバの両方において現在の通信状況・状態を知ることができる。これは、グループ通信の開始時にグループリストに含まれるフロア属性情報を、フロア属性情報解析部によって解析し、その属性情報を用いてフロア属性情報制御部でフロアへ属性情報を付加するためである。
【発明を実施するための最良の形態】
【００１７】
［構成の説明］
次に、本発明の実施するための最良の形態について図面を参照して詳細に説明する。
【００１８】
図１を参照すると、本発明の実施の形態は、グループ情報サーバ１と、グループ通信サーバ２と、機能追加サーバ５と、グループ通信端末３と、グループ情報作成端末４とを含む。グループ情報サーバ１とグループ通信サーバ２と機能追加サーバ５とは、グループ通信管理局６内に設けられている。
【００１９】
グループ情報サーバ１は、接続制御部１１と、グループ情報格納部１２とを備えている。
【００２０】
接続制御部１１は、グループ通信サーバ２やグループ通信端末３、グループ情報作成端末４からの接続を制御し、接続中は各々との通信や、グループ情報格納部１２との間でデータの読み込み・取り出しを行う。グループ情報格納部１２は、通信を行うグループの情報やフロア属性の設定情報を保持する。また、グループ通信サーバ２やグループ通信端末３、グループ情報作成端末４からのグループ情報の要求やグループ情報の追加に対して読み出し・保存等の操作を行う。
【００２１】
グループ通信サーバ２は、グループ情報サーバ接続部２１と、グループ情報解析部２２と、セッション制御部２３と、フロア制御部２４と、グループ通信データ制御部２５と、機能追加サーバ接続制御部２６とを備えている。
【００２２】
グループ情報サーバ接続部２１は、グループ情報サーバ１の接続制御部１１へ接続し、グループ情報格納部１２からグループ情報を取得する。グループ情報解析部２２は、グループ情報サーバ１から取得したグループ情報を解析する。セッション制御部２３は、複数のグループ通信端末３間のシグナリングを行い、グループ通信のためのセッションを確立する。フロア制御部２４は、複数のグループ通信端末３間で発言する人に対して与える発言権の制御を行う。グループ通信データ制御部２５は、発言権を持っている人の発言（音声）を受信して、他のグループ通話参加者に送信する。機能追加サーバ接続制御部２６は、機能を追加するサーバ（機能追加サーバ５）からの接続を制御する。
【００２３】
グループ通信端末３は、グループ情報サーバ接続部３１と、グループ通信サーバ接続部３２と、データ処理部３３と、ユーザインタフェース部３４とを備えている。
【００２４】
グループ情報サーバ接続部３１は、グループ情報サーバ１へ接続しグループ情報の取得や登録・編集・削除のための通信を行う。グループ通信サーバ接続部３２は、グループ通信サーバ２へ接続しグループ通信に必要な通信を行う。データ処理部３３は、グループ通信サーバ２との間でやりとりする映像・音声といったデータの再生・録音等の処理を行う。ユーザインタフェース部３４は、利用者に対してグループ通信のインタフェースを提供する。
【００２５】
グループ情報作成端末４は、グループ情報サーバ接続部４１と、グループ情報作成部４２と、フロア属性情報作成部４４と、グループ情報入力部４３とを備えている。
【００２６】
グループ情報サーバ接続部４１は、グループ情報サーバ１へ接続しグループ情報の取得や登録・編集・削除のための通信を行う。グループ情報作成部４２は、グループリストの作成を行う。フロア属性情報作成部４４は、フロア属性設定の作成を行います。作成したフロア属性設定は、グループ情報作成部４２で結合します。グループ情報入力部４３は、グループリストを作成する際に利用者が入力するユーザインタフェースを提供する。
【００２７】
機能追加サーバ５は、フロア属性情報制御部５１と、フロア属性情報解析部５２と、追加機能情報管理部５３と、グループ通信サーバ接続部５４とを備えている。
【００２８】
フロア属性情報制御部５１は、フロア属性設定に基づいてフロアの制御を行う。フロア属性情報解析部５２は、グループ通信サーバ２から取得したフロア属性設定をフロア属性情報制御部５１から受け取り、解析してフロア属性情報制御部５１へ返す。追加機能情報管理部５３は、フロア属性設定に基づくフロア制御によって得られた情報の管理を行う。グループ通信サーバ接続部５４は、グループ通信サーバ２へ接続しフロア属性設定の取得やそれに基づくフロアの制御を行う。
［動作の説明］
次に、本発明の実施するための最良の形態の動作について図１から図４を参照して詳細に説明する。
【００２９】
まず、グループ情報およびフロア属性情報を含む、グループリストの作成とグループ情報サーバ１への登録を行う。作成者はグループ情報入力部４３でグループ情報（図３に作成例を示す）とフロア属性情報（図４に作成例を示す）の入力を行う。
【００３０】
グループ情報入力部４３は作成者が入力した情報のうち、グループ情報部分をグループ情報作成部４２へ渡し、フロア属性情報部分をフロア属性情報作成部４４へ渡す。
【００３１】
フロア属性情報作成部４４は作成者が入力した情報に基づきフロア属性の設定情報を作成し、グループ情報作成部４２へ渡す。グループ情報作成部４２はグループ情報入力部４３から渡されたグループ情報とフロア属性情報作成部４４から渡されたフロア属性の設定情報に基づきグループリストを作成する。
【００３２】
グループ情報作成部４２はグループ情報サーバ接続部４１を使って、作成したグループリストをインターネット１００を通じてグループ情報サーバ１に送信する（図２のステップＡ１、Ａ２）。
【００３３】
グループ情報サーバ１の接続制御部１１は受信したグループリストをグループ情報格納部１２へ登録する。なお、グループリストの変更は認証機構を用いることにより、作成者しか変更できない。
【００３４】
次に、グループ通信端末３からグループ通信の発信を行うため、グループリストの取得を行う。発信者はグループ通信端末３のユーザインタフェース部３４に対してグループリスト取得操作を行う。ユーザインタフェース部３４はグループ情報サーバ接続部３１を使って、発信に使用するグループリストをインターネット１００を通じてグループ情報サーバ１に要求する（図２のステップＡ３）。
【００３５】
この要求を受けたグループ情報サーバ１の接続制御部１１はグループ情報格納部１２にから要求に該当するグループリストを読み出し、インターネット１００を経由してグループ通信端末３に送信する（図２のステップＡ４）。
【００３６】
次に、利用者はグループ通信端末３のユーザインタフェース部３４で通信開始（発信）の操作を行う。
【００３７】
ユーザインタフェース部３４はグループ通信サーバ接続部３２に発信を要求する。グループ通信サーバ接続部３２はインターネット１００を通じてグループ通信サーバ２へ発信要求を行う（図２のステップＡ５）。
【００３８】
グループ通信サーバ２のセッション制御部２３は、グループ通信端末３からの発信要求に含まれるグループリスト識別子に基づき、グループ情報サーバ接続部２１を通じてグループ情報サーバ１にグループリストを取得しに行く（図２のステップＡ６）。
【００３９】
グループ情報サーバ１の接続制御部１１は、グループリスト識別子に基づきグループ情報格納部１２から該当するグループリストを取得しグループ通信サーバ２へ渡す（図２のステップＡ７）。
【００４０】
グループ通信サーバ２のグループ情報解析部２２はグループ情報サーバ接続部２１経由で接続制御部１１からグループリストを取得し、グループ情報とフロア属性情報とに分割する。グループ情報解析部２２はこのフロア属性情報を機能追加サーバ接続制御部２６を通じて機能追加サーバ５へ送る（図２のステップＡ８）。なお、このとき、フロア属性情報とともに、グループ通信参加者の識別子と参加者タイプも同時に送っておく。
【００４１】
フロア属性情報を受け取った機能追加サーバ５のグループ通信サーバ接続部５４はその情報をフロア属性情報制御部５１へ渡す。フロア属性情報を受け取ったフロア属性情報制御部５１は、フロア属性情報解析部５２を利用してフロア属性情報を解析し、動作の定義や追加機能等の属性情報をグループ通信参加者の識別子と関連付ける。また、フロア属性情報制御部５１は解析したフロア属性情報の追加機能に関連する情報を追加機能情報管理部５３へ渡す（図２のステップＡ９）。
【００４２】
また、グループ通信サーバ２のセッション制御部２３はグループ情報を受け取り、グループ情報に含まれる利用者（グループ通信端末３）に対して発信する（図２のステップＡ１０）。
【００４３】
この発信を着信したグループ通信端末３はグループ通信サーバ接続部３２を通じてユーザインタフェース部３４へ着信を通知する。グループ通信端末３の利用者はユーザインタフェース部３４を操作して着信を許可し、グループ通信サーバ接続部３２に通知する。なお、このとき、必要に応じて、着信側の利用者はユーザインタフェース部３４からの操作によってグループリスト内のフロア属性情報をグループ情報サーバ１から取得して、追加機能等フロア属性情報内にある情報を確認することができる（図２のステップＡ１１、Ａ１２、Ａ１３）。
【００４４】
グループ通信端末３の利用者が着信を許可した後、グループ通信端末３のグループ情報サーバ接続部３１はインターネット１００を通じてグループ通信サーバ２に着信の許可を送信する（図２のステップＡ１４）。
【００４５】
着信側のグループ通信端末３からの着信の許可を受信したグループ通信サーバ２のセッション制御部２３は、発信側のグループ通信端末３へ着信の許可があったことを通知する（図２のステップＡ１５）。
【００４６】
発信側のグループ通信端末３はグループ情報サーバ接続部３１を通じてユーザインタフェース部３４へ着信を通知する（図２のステップＡ１６）。この時点で、グループ通信のセッションが確立する。
【００４７】
次に、利用者はグループ通信端末３のユーザインタフェース部３４でフロア取得の操作を行う。ユーザインタフェース部３４はグループ通信サーバ接続部３２にフロア取得を要求する。グループ通信サーバ接続部３２はインターネット１００を通じてグループ通信サーバ２へフロア取得要求を行う（図２のステップＡ１７）。
【００４８】
グループ通信サーバ２のフロア制御部２４はフロア取得要求を送信したグループ通信端末３の識別情報（グループ参加者の識別子）を機能追加サーバ接続制御部２６を通じて機能追加サーバ５へ送信する（図２のステップＡ１８）。
【００４９】
機能追加サーバ５のグループ通信サーバ接続部５４はグループ通信サーバ２から受けとったグループ通信端末３の識別情報をフロア属性情報制御部５１へ渡す。フロア属性情報制御部５１は、グループ通信端末３の識別情報を元に関連付けされたフロア属性情報を検索し、当てはまる動作や属性の情報を割り出す。その上で、他にフロアを取得している人がいないのを確認して、フロアのグループ通信端末３への割り当てを決定する。このとき、フロア属性情報制御部５１はフロアの割り当てや属性情報を追加機能情報管理部５３に対して送信する。これにより、追加機能情報管理部５３は予め受け取っていた追加機能に関する情報に基づき誰に対してどういう振る舞いをするかを決定し、記録する（図２のステップＡ１９）。
【００５０】
フロアの割り当て決定後、フロア属性情報制御部５１はグループ通信サーバ２へフロア取得要求に対する返答を送信する（図２のステップＡ２０）。
【００５１】
機能追加サーバ５から返答を受け取った機能追加サーバ接続制御部２６は、フロア制御部２４を経由して、フロア取得要求を行ったグループ通信端末３に対して返答を送信する（図２のステップＡ２１）。
【００５２】
グループ通信端末３は、フロア取得要求に対してフロアが承認されたときに、他のグループ通信端末３に対してのグループ通信（発言等のデータ送信）を行うことができる（図２のステップＡ２２）。
【００５３】
なお、フロアの承認通知や他の人へのフロア取得の通知にはフロア属性情報を含むことができる。
【００５４】
たとえば、図４のようなフロア属性情報が設定されている場合、「講演者」、「講演モード」という情報がフロアに付加されているときには、グループ通信の利用者は講演者が講演モードで話しているということを知ることができる。
【００５５】
他にフロアを取得している利用者がいる場合には、現在フロアを取得している利用者の属性情報とフロアの取得を要求した利用者の属性情報とを比較し、動作の定義に基づいてフロアの割り当てを決定する。
【００５６】
たとえば、図４のフロア属性情報が設定されている場合、聴講者がフロアを持っていて講演者がフロアを要求すると、フロア属性情報に基づき聴講者のフロアを取り消し、講演者に対してフロアを与えることになる。この結果、現在フロアを持っている利用者に対して何らかの要求を行う場合には、フロア属性情報制御部５１はグループ通信サーバ２へフロア取得要求に対する返答だけではなくその要求も送信する。
【００５７】
次に、本実施の形態の効果について説明する。
【００５８】
本実施の形態では、グループリストがグループ参加者の属性情報およびフロアの属性情報を持つことにより、グループ通信中のフロアに意味を持たせることが可能となる。これにより、利用者はフロア取得者の現在の通信状況や状態を知ることができ、グループ通信管理局６はフロア属性情報によって利用者および定義した状態に応じた詳細な通信の制御や管理を行うことが可能になる。
【００５９】
次に、本発明によるグループ通信システムの第２の実施の形態について図５を参照して詳細に説明する。
【００６０】
図５を参照すると、本発明によるグループ通信システムの第２の実施の形態は、グループ通信サービス受付サーバ７が設けられており、すなわち図１に示された第１の実施の形態におけるグループ情報作成端末４の代わりにグループ通信サービス受付サーバ７が設けられ、上述のグループ情報サーバ接続部４１とグループ情報作成部４２とフロア属性情報作成部４４とに加え、サービス申込受付部７１を備えた点で第１の実施の形態と異なる。
【００６１】
このサービス申込受付部７１は、グループ通信利用者からのグループ通信利用の申し込みを受け付け、申し込み時に入力された参加者の情報や課金の方法等のデータをグループ情報作成部４２およびフロア属性情報作成部４４へ渡す。また、サービス申込受付部７１はグループ通信利用の申し込みをＷＷＷ等を用いて行い、申し込みの前にサービスの利用条件や課金レートと言った情報を確認してから申し込みができる。
【００６２】
次に、本発明によるグループ通信システムの第３の実施の形態について図６を参照して詳細に説明する。
【００６３】
図６を参照すると、本発明によるグループ通信システムの第３の実施の形態は、グループ通信端末８が、図１に示された第１の実施の形態におけるグループ通信端末３およびグループ情報作成端末４の両者のすべての構成を備える点にある。
【００６４】
このグループ通信端末８は、グループ情報やフロア属性情報の作成やサーバへの登録、グループ通信の発信／着信、通信中のデータの処理等の機能を１台の端末ですべて備えている。これにより、グループリストの作成者とグループ通信の参加者が共通している場合に１台の端末ですべての操作を行うことができる。
【００６５】
次に、本発明によるグループ通信システムの第４の実施の形態について図７を参照して詳細に説明する。
【００６６】
図７を参照すると、本発明によるグループ通信システムの第４の実施の形態は、課金サーバ９が設けられており、すなわち図１に示された第１の実施の形態における機能追加サーバ５の代わりに課金サーバ９が設けられ、追加機能情報管理部５３の代わりに課金情報管理部５５が設けられいる点が異なる。
【００６７】
グループ通信を利用した講演会が開催され、講演会の主催者と講演者、講演の聴講者がグループリストに登録されている（図３参照）場合、フロア属性情報に課金についての情報を記述しておく（図４参照）ことで、フロアを使って課金の方法を詳細に制御・管理することが可能になる。
【００６８】
課金情報管理部５５は、フロア属性情報解析部５２が解析したフロア属性情報（図４に例を示す）に基づくフロア制御によって得られた課金情報の管理を行う。これにより、図４のようなフロア属性情報が作成されることで、課金情報管理部５５は参加者タイプ（「講演者」や「聴講者」）に応じて課金方法を変更することが可能になる。
【００６９】
次に、本発明によるグループ通信システムの第５の実施の形態について図８を参照して詳細に説明する。
【００７０】
図８を参照すると、本発明によるグループ通信システムの第５の実施の形態は、ゲーム運用サーバ１０が設けられており、すなわち図１に示された第１の実施の形態における機能追加サーバ５の代わりにゲーム運用サーバ１０が設けられ、追加機能情報管理部５３の代わりにゲーム情報管理部５６が設けられいる点が異なる。
【００７１】
グループ通信を利用してたとえば将棋のようなゲームを運用する場合、ゲーム運用のルールをグループリスト内のフロア属性情報に記述しておき、指し手の順番や制限時間などをフロアを使って制御・管理することができる。
【００７２】
ゲーム情報管理部５６は、フロア属性情報解析部５２が解析したフロア属性情報に基づくフロア制御によって得られたゲーム情報の管理を行う。これにより、たとえばフロア取得中にしか手を指すことができないルールにすることで、制限時間に達した場合に指し手から指す権利を取り上げることや、制限時間そのものをフロアの受け渡しによって管理することが可能になる。また、将棋のようなゲームを運用するためのフロア属性情報に課金情報も含むことにより、ゲーム情報管理部５６は指し手の順番や制限時間に応じてゲームの課金方法を変更し、きめ細かい課金を行うことも可能になる。
【図面の簡単な説明】
【００７３】
【図１】本発明によるグループ通信システムの第１の実施の形態の構成を示すブロック図である。
【図２】図１のグループ通信システムの内部動作を示すシーケンスチャートである。
【図３】グループ通信システムで使用するグループ情報の一例を示す図である。
【図４】グループ通信システムで使用するフロアの属性情報の一例を示す図である。
【図５】本発明によるグループ通信システムの第２の実施の形態の構成を示すブロック図である。
【図６】本発明によるグループ通信システムの第３の実施の形態の構成を示すブロック図である。
【図７】本発明によるグループ通信システムの第４の実施の形態の構成を示すブロック図である。
【図８】本発明によるグループ通信システムの第５の実施の形態の構成を示すブロック図である。
【符号の説明】
【００７４】
１００    インターネット
１    グループ情報サーバ
１１  接続制御部
１２  グループ情報格納部
２    グループ通信サーバ
２１  グループ情報サーバ接続部
２２  グループ情報解析部
２３  セッション制御部
２４  フロア制御部
２５  グループ通信データ制御部
２６  機能追加サーバ接続制御部
３    グループ通信端末
３１  グループ情報サーバ接続部
３２  グループ通信サーバ接続部
３３  データ処理部
３４  ユーザインタフェース部
４    グループ情報作成端末
４１  グループ情報サーバ接続部
４２  グループ情報作成部
４３  グループ情報入力部
４４  フロア属性情報作成部
５    機能追加サーバ
５１  フロア属性情報制御部
５２  フロア属性情報解析部
５３  追加機能情報管理部
５４  グループ通信サーバ接続部
５５  課金情報管理部
５６  ゲーム情報管理部
６    グループ通信基地局
７    グループ通信サービス受付サーバ
７１  サービス申込受付部
８    グループ通信端末
９    課金サーバ
１０  ゲーム運用サーバ
【図１】
2007027999.tif 000003
【図２】
2007027999.tif 000004
【図３】
2007027999.tif 000005
【図４】
2007027999.tif 000006
【図５】
2007027999.tif 000007
【図６】
2007027999.tif 000008
【図７】
2007027999.tif 000009
【図８】
2007027999.tif 000010